(57)【特許請求の範囲】
【請求項１】
メタル通信線の屋外配線と加入者側の配線との接続部に保安器ユニットを取り付けるための加入者保安器用キャビネットにおいて、
キャビネット本体とこのキャビネット本体に装着されるカバー体とが備えられ、
前記キャビネット本体にメタル通信線及び光ケーブル心線用の引出部が設けられ、
前記キャビネット本体の内側には、前記保安器ユニットを取り付けるための取付部と、該取付部の周りに配置され、前記光ケーブル心線の余長部分を前記取付部を囲むように巻き取るための巻き取り部材と、前記光ケーブル心線の屋外配線と加入者側の配線との成端手段を取り付けるための支持部とを備え、
前記巻き取り部材は前記キャビネット本体に対して着脱自在に設けられ、
前記取付部には、接地板が配置され、該接地板の一端側に保安器ユニットがねじ止め固定され、他端側に接地用のケーブルが取り付けられ、保安器ユニットは接地板へ取り付けされることを特徴とする加入者保安器用キャビネット。
【請求項２】
請求項１記載の加入者保安器用キャビネットにおいて、巻き取り部材は、キャビネット本体と雌雄嵌合し位置決めされることを特徴とする加入者保安器用キャビネット。
【請求項３】
請求項１または２記載の加入者保安器用キャビネットにおいて、取付部は、保安器ユニットが２回線分取り付けできる広さを有し、保安器ユニットの１回線分または２回線分を選択して取り付けることができる加入者保安器用キャビネット。
【請求項４】
請求項１から３のいずれかに記載の加入者保安器用キャビネットにおいて、支持部は複数箇所設けられることを特徴とする加入者保安器用キャビネット。
【発明の詳細な説明】
【０００１】
【発明の属する技術分野】
本発明は、メタル通信線の屋外配線と加入者側の配線との接続部に保安器ユニットを取り付けるための加入者保安器用キャビネットであって、特に光ケーブル心線の余長部分の成端処理を行うことのできるキャビネットに関する。
【０００２】
【従来の技術】
従来より、雷による衝撃やその他の異常電圧等から通信機器を保護するために、屋外配線と加入者側の配線との接続部には、保安器ユニットを備えた加入者保安器が設けられている。
【０００３】
また近年、光ケーブル網が普及しているため、光ケーブル心線においても、屋外配線と加入者側の配線を接続する成端処理が必要とされてきている。光ケーブル心線の成端処理の場合には、その曲率半径の問題で、余長部分の巻き取りが必要とされ、そのため光ケーブル心線の成端処理用の成端キャビネットが提案されてきた。
【０００４】
【発明が解決しようとする課題】
しかし、従来の光ケーブル心線の成端キャビネットを取り付ける場合には、加入者保安器とは個別に取り付けられるため、取り付けに要するスペースの確保が必要となるばかりか、スッキリ感が損なわれてしまうという不具合があった。
【０００５】
また、光ケーブル心線の成端キャビネットの取り付けがねじ止め方式によって行われる場合には、加入者保安器とは別に、新たに加入者宅の外壁に開ける穴が増えるという問題も生じる。このような取り付けのための穴は、雨水等の浸入による被害を招来するため、できるだけ開けないことが望まれていた。
【０００６】
本発明は、このような事情に対処してなされたもので、光ケーブル心線の成端処理と加入者保安器の取り付けを一体化して行い、取り付けスペースの確保を容易にするとともに、スッキリとして美観を向上させ、さらに外壁に開ける穴を少なくできる加入者保安器用キャビネットを提供することを目的とする。
【０００７】
【課題を解決するための手段】
上述の課題を解決するために、本発明は以下の手段を採用する。
【０００８】
すなわち、請求項１では、メタル通信線の屋外配線と加入者側の配線との接続部に保安器ユニットを取り付けるための加入者保安器用キャビネットにおいて、キャビネット本体とこのキャビネット本体に装着されるカバー体とが備えられ、前記キャビネット本体にメタル通信線及び光ケーブル心線用の引出部が設けられ、前記キャビネット本体の内側には、前記保安器ユニットを取り付けるための取付部と、該取付部の周りに配置され、前記光ケーブル心線の余長部分を前記取付部を囲むように巻き取るための巻き取り部材と、前記光ケーブル心線の屋外配線と加入者側の配線との成端手段を取り付けるための支持部とを備え、前記巻き取り部材は前記キャビネット本体に対して着脱自在に設けられ、前記取付部には、接地板が配置され、該接地板の一端側に保安器ユニットがねじ止め固定され、他端側に接地用のケーブルが取り付けられ、保安器ユニットは接地板へ取り付けされることを特徴とする。
【０００９】
この手段では、加入者保安器用キャビネットの中にメタル通信線の保安器ユニットと光ケーブル心線の成端処理の両方が収容されているため、取り付け時に、省スペースが実現されるとともに、個別に取り付けられる場合に比べて、加入者宅の外壁に設ける取付穴の数を少なくできる。また、キャビネット本体とカバー体とで覆われるため、風雨に対する耐環境性が備えられる。また、保安器ユニットと巻き取り部材は着脱自在であるため、容易に交換作業が行えるとともに、巻き取り部材については、成端処理が不要な場合は、取り付けずに使用することもできる。また、接地板は保安器ユニットを固定させる機能と、保安器ユニットを接地させる機能とを併せ持つ。また、保安器ユニットは取付部の接地板に対してねじ止めされるため、外壁に穴が開けられることはない。
【００１０】
また、請求項２では、請求項１記載の加入者保安器用キャビネットにおいて、巻き取り部材は、キャビネット本体と雌雄嵌合し位置決めされることを特徴とする。
【００１１】
この手段では、巻き取り部材の取り付けの位置決めが容易にされるとともに、取り付け後の脱落が防止される。
【００１２】
また、請求項３では、請求項１または２記載の加入者保安器用キャビネットにおいて、取付部は、保安器ユニットが２回線分取り付けできる広さを有し、保安器ユニットの１回線分または２回線分を選択して取り付けることができる。
【００１３】
この手段では、１回線分用と２回線分用を同じ加入者保安器用キャビネットで兼用できるため、製造コストが削減される。
【００１６】
また、請求項４では、請求項１から３のいずれかに記載の加入者保安器用キャビネットにおいて、支持部は複数箇所設けられることを特徴とする。
【００１７】
この手段では、成端処理が複数回線分行うことができるとともに、成端処理を１回線分しか行わない場合には作業上、都合の良い位置の支持部が選択される。
【００１８】
【発明の実施の形態】
以下、本発明の加入者保安器用キャビネットに係る実施の形態について図面に基づいて説明する。
図１は本発明の実施の形態（１）での取り付け例の斜視図、図２は実施の形態（１）での取り付け例の分解図、図３は本発明の実施の形態（１）のその他の取り付け例の分解図を示している。
【００１９】
本発明の加入者保安器用キャビネット１００は、メタル通信線の屋外配線と加入者側の配線との接続部に保安器ユニット３０を取り付けるためのキャビネットであって、キャビネット本体１４０とこのキャビネット本体１４０に装着されるカバー体１４１とが備えられ、キャビネット本体１４０の内側には、保安器ユニット３０を取り付けるための取付部１３０と、光ケーブル心線１０の屋外配線と加入者側の配線との成端手段２０を取り付けるための支持部１１０と、光ケーブル心線１０の余長部分１１を上記取付部１３０を囲むように巻き取る巻き取り部材１２０とが配置されている。
【００２０】
キャビネット本体１４０は、加入者宅の壁面４０に対向する面として後面部１４２と、この後面部１４２を囲む下面部１４３と側面部１４４を有している。また、下面部１４３の下方には一体で延伸した固定面１６１も有している。そして、このキャビネット本体１４０にカバー体１４１が装着され、その内側に各種部材が収容される。キャビネット本体１４０とカバー体１４１の素材としては、樹脂製のものが適用される。
後面部１４２の内側には支持部１１０が設けられ、巻き取り部材１２０が着脱自在に取り付けられる。また、キャビネット本体１４０の側面部１４４の両側には、カバー体１４１の装着のための装着部１７０が設けられている。さらに、下面部１４３付近には光ケーブル心線１０及び保安器ユニット３０への配線を、加入者保安器用キャビネット１００の内外で連通させるための引出部１５０が設けられている。また、固定面１６１は、加入者保安器用キャビネット１００自体を壁面４０に固定するための固定部１６０として用いられる。
【００２１】
取付部１３０は、後面部１４２の略々中央に設けられており、保安器ユニット３０の２回線分が配置できる広さを有している。
保安器ユニット３０を１回線分取り付ける場合には、図２に示すような接地板１３１が使用される。そして、この接地板１３１の上端付近に設けられた雌ねじ部１３２に、保安器ユニット３０がねじ３１で取り付けられる。このように、保安器ユニット３０は、壁面４０に穴を開けずに、加入者保安器用キャビネット１００の内部に取り付けられている。
接地板１３１は後面部１４２に設けられた嵌入穴１３３に上下両端の屈曲した部位がはめ込まれることで固定されている。そして、接地板１３１の下端側には、下方外部から挿入された接地用のケーブル（図示していない）がねじ１３４で取り付けられる。従って、保安器ユニット３０は、接地板１３１の雌ねじ部１３２にねじ止めされることによって、取り付けと同時に接地することができる。
【００２２】
また、保安器ユニット３０を２回線分取り付ける場合には、図３に示すような接地板２３１が使用される。接地板２３１には、雌ねじ部１３２が２箇所設けられており、保安器ユニット３０を並設してねじ止めすることができるが、それ以外は１回線分用と同様である。なお、図３では１回線分の保安器ユニット３０を２個併設して２回線分としているが、これに限定するものではなく、２回線分が１ユニットとなった保安器ユニットを取り付けても良い。
【００２３】
なお、実施の形態（１）では、保安器ユニット３０を１つ取り付ける場合と２つ取り付ける場合とで、接地板を使い分けるように構成しているが、兼用できる接地板で構成しても良い。例えば、接地板２３１の中央にも雌ねじ部を設け、接地板２３１の中央に保安器ユニット３０を１つ取り付けられるようにしたり、あるいは元々の雌ねじ部１３２の一方に単に保安器ユニット３０を１つだけを取り付けたりしても良い。
【００２４】
固定部１６０は、固定面１６１と、固定面１６１に設けられた取付穴１６２とを備えており、ねじ１６３で所望の壁面４０にねじ止めされるよう構成されている。図中では、３箇所（１箇所は図示されていない）でねじ止め固定されており、加入者保安器ユニット１００の取り付けに際しては、これら３箇所のねじ止め以外に外壁に穴を開ける必要はない。
【００２５】
巻き取り部材１２０は、光ケーブル心線１０がよれや折れ曲がり無く巻回できる構造であり、基部１２１と複数の突起を備えている。素材としては樹脂製のものが適用される。
基部１２１は略リング状を呈し、基部１２１の外周側から軸平行に立設され内周側に向かって屈曲した爪部を有する外周突起１２２と、基部１２１の内周側から軸平行に立設され外周側に向かって屈曲した爪部を有する内周突起１２３とを有している。これら外周突起１２２と内周突起１２３は、基部１２１に適度な間隔をあけて配置されている。実施の形態（１）では、基部１２１の上方と下方にそれぞれ内周突起１２３が、両側方に２箇所ずつ外周突起１２２が設けられている。光ケーブル１０の余長部分１１は、これら外周突起１２２と内周突起１２３とで規制された領域内で巻回され、折れ曲がりやよれ等の発生が抑制される。
【００２６】
また、基部１２１には、巻き取り部材１２０をキャビネット本体１４０に取り付けるための嵌合凸部１２６が設けられてる。この嵌合凸部１２６は、基部１２１の外周側から軸平行に立設された突起部１２５に設けられている。一方、キャビネット本体１４０の側面部１４４には、嵌合凸部１２６と雌雄嵌合できる穴形状の嵌合凹部１２７が設けられている。巻き取り部材１２０は、若干の弾性変形によってキャビネット本体１４０の内側にはめ込みされ、嵌合凹部１２６と嵌合凸部１２７が合わされる。これにより、位置決めと同時に、脱落が防止される。なお、この巻き取り部材１２０には、キャビネット本体１４０への嵌め込み時を考慮して、接地用部材１３５に応じた屈曲部１２４が設けられている。
【００２７】
この巻き取り部材１２０による曲率半径は、光ケーブル心線１０の最小曲率半径を維持する寸法とされることが望ましく、これにより、最小のスペースで巻回作業が可能となる。
このように、巻き取り部材１２０は、保安器ユニット３０を取り囲むように設けられているため、キャビネット本体１４０の内部に保安器ユニット３０と、光ケーブル心線１０の余長の巻き取りがコンパクトに、効率良くまとめられている。
【００２８】
また、この巻き取り部材１２０は、着脱自在であるため、加入者保安器用キャビネット１００で光ケーブル心線１０の成端処理を行わない場合には、取り外した状態で使用しても良い。その場合、単に１回線分もしくは２回線分の保安器ユニットのキャビネットとして使用し、内部を広く利用できる。そして、使用中に光ケーブル心線１０の成端処理の設置が必要となったときには、その時点で加入者保安器用キャビネット１００内に巻き取り部材１２０を取り付け、保安器ユニット３０と光ケーブル心線１０の成端処理の両方を収容したキャビネットとして使用することができる。その際、先にも説明したように新たな取付穴を外壁に開ける必要が全くないだけでなく、巻き取り部材１２０を嵌め込むだけであるので、きわめて容易な作業で一体化させることができる。
【００２９】
支持部１１０は、キャビネット本体１４０の中程の側面寄りで、両側に配置されている。光ケーブル心線１０の成端処理として２回線分まで取り付けることができ、１回線分の使用の際には選択して、また２回線分の使用の際には両方が使用される。
１つの支持部１１０は、後面部１４２に設けられた嵌入孔１１２と、この近傍に立設された突起部１１１、１１１を有している。嵌入孔１１２には、成端手段２０のアダプタ２３のプレート部２４が差し込まれて保持される。また成端手段２０の横方向への傾倒は、突起部１１１と保安器ユニット３０によって防止される。
このようにプレート部２４を奥行き方向に伸びる形態で成端手段を取り付けることで、幅方向の占有率を減らすことができ、特に２回線分の保安器ユニット３０を配置する場合にコンパクトに納めることができる。
【００３０】
なお、支持部１１０の形態は、実施の形態（１）に限定されるものではない。例えばプレート部２４が幅方向に伸びて装着できるガイド溝を有するような支持部として構成しても良い。また、成端手段２０のアダプタの種類として、図中のような１組のコネクタ２１、２２を成端するタイプだけでなく、２組のコネクタを成端させるタイプのアダプタを使用できるような支持部として構成しても良い。さらには、支持部１１０の数を３箇所以上設ける構成としても良い。
【００３１】
引出部１５０は、加入者保安器用キャビネット１００の下方に設けられており、左右に２箇所配置されて、光ケーブル心線１０及び保安器ユニット３０の配線３２の内外の連通を可能としている。
１つの引出部１５０は、下面部１４３に設けられてた引出用溝１５１と、保安器ユニット３０の配線３２を連通させる２箇所の連通穴１５６と、光ケーブル心線を連通させる連通穴１５７とを有している。光ケーブル心線１０や保安器ユニット３０の配線３２は、それぞれ保護部材１５４を介して引き出される（引き込まれる）。そして、ねじ１５３で雌ねじ部１５５に取り付けられるブロック１５２で固定されるようになっている。
なお、内部の機密性が損なわれることを防止するために、使用されない連通穴には適切な手段で、機密性の保持が施される。また、光ケーブル心線１０を複数回線使用する場合には、本数に適合した保護部材が使用される。
【００３２】
装着部１７０は、キャビネット本体１４０にカバー体１４１を装着するために設けられている。キャビネット本体１４０には、側面部１４４の両外側に圧接片部１７１が設けられており、カバー体１４１の側片部１７２の内側に圧接して保持される。そして、カバー体１４１に設けられた位置決め凹部１７４が、キャビネット本体１４０に設けられた位置決め凸部１７３に嵌合して、カバー体１４１の位置決めがなされる。
このように加入者保安器用キャビネット１００においては、カバー体１４１がキャビネット本体１４０に装着されることで閉塞され、内部に配置された各種部材が保護される。そのため、略密閉状態が保たれ、保安器ユニット３０や成端手段２０等が風雨にさらされることなく、安定した状態で保持できる。
【００３３】
なお、上述の実施の形態（１）の構成では、キャビネット本体１４０側に、光ケーブル心線１０の成端処理部分を配置するように構成しているが、カバー体１４１側に配置するよう構成しても良い。
【００３４】
以上のように構成された加入者保安器用キャビネット１００を用いて、保安器ユニット３０と光ケーブル心線１０の成端処理をそれぞれ１回線分収容させる場合の取り付け方法について説明する。なお、以下の手順は一例であり、その他の手順で行ってもよいことは言うまでもない。
【００３５】
まず、キャビネット本体１４０を、固定面１６１の取付穴１６２を介してねじ１６３で壁面４０にねじ止め固定する。
【００３６】
次に、取付部１３０において、接地板１３１を嵌入穴１３３に嵌め込み、さらに接地用部材１３５を通して挿入された接地用ケーブル（図示されていない）をねじ１３４で接続する。そして、保安器ユニット３０を、接地板１３１の雌ねじ部１３２にねじ３１でねじ止め固定し、同時に接地する。
【００３７】
次に、キャビネット本体１４０の嵌合凹部１２７に、巻き取り部材１２０の嵌合凸部１２６を合わせて嵌め込む。
【００３８】
次に、保安器ユニット３０の配線３２を、保護部材１５４を介してそれぞれ連通穴１５６に通す。また、一方の光ケーブル心線１０を、引出用溝１５１に通した後、保護部材１５４を介して連通穴１５７に通す。そして、ブロック１５２をキャビネット本体１４０の雌ねじ部１５５にねじ１５３によってねじ止めし、光ケーブル心線１０及び配線３２の抜け止めを行う。使用されない連通穴には、適切な方法で機密性の保持を行う。
【００３９】
次に、光ケーブル心線１０の余長部分１１を巻き取り部材１２０に巻回する。巻き取り部材１２０は、外周突起１２２と内周突起１２３によって適度なスペースが確保されているため、そのスペースに光ケーブル心線１０の余長部分１１を落とし込むようにして巻回することにより、その余長部分１１に無理な力を加えることなく巻回処理が行われる。そして、巻き取り部材１２０に巻回された光ケーブル心線１０の余長部分１１は、外周突起１２２と内周突起１２３によって保護された状態で収容される。
【００４０】
次に、光ケーブル心線１０の余長部分１１の端部をコネクタ２２側に装着する。コネクタ２１側には、他方の光ケーブル心線１０の一端を装着し、他端は上述と同様に残った引出部１５０の連通穴１５７から外部に引き出す。これらコネクタ２１、２２をアダプタ２３に装着し、光ケーブル心線１０の成端を行う。そして、アダプタ２３のプレート部２４を支持部１１０の嵌入穴１１２に差し込む。これによりアダプタ２３の固定が完了する。
【００４１】
次に、カバー体１４１をキャビネット本体１４０に装着する。装着部１７０では、圧接片部１７１が側片部１７２の内側に保持されるとともに、位置決め凸部１７３が位置決め凹部１７４に嵌め込まれることで、カバー体１４１の位置決めがなされる。これにより取り付けが完了する。
【００４２】
【発明の効果】
以上のように、本発明の加入者保安器用キャビネットは、メタル通信線の保安器ユニットと光ケーブル心線の成端処理の両方を収容し、一体化させて同一の部位に取り付けることができるため、取り付けスペースの確保を容易にするとともに、外壁への取付穴を減らすことができるという優れた効果を有している。
【００４３】
また、キャビネット本体とカバー体で閉塞することで、内部を保護するだけでなく、美観を向上させてスッキリ感を与えることができる。
【００４４】
また、加入者保安器と光ケーブル心線の成端処理は、いずれも１回線分用と２回線分用のどちらでも兼用ができるよう構成されているため、キャビネットの製造コストを削減することができる。
【００４５】
さらに、巻き取り部材は、光ケーブル心線の成端処理が必要となった時点で後付けすることができるとともに、その取り付け作業もきわめて容易に行えるという優れた特徴を有している。
【図面の簡単な説明】
【図１】本発明の実施の形態（１）での取り付け例の斜視図である。
【図２】本発明の実施の形態（１）での取り付け例の分解図である。
【図３】本発明の実施の形態（１）でのその他の取り付け例の分解図である。
【符号の説明】
１０    光ケーブル心線
２０    成端手段
３０    保安器ユニット
４０    壁面
１００    加入者保安器用キャビネット
１１０    支持部
１２０    巻き取り部材
１３０    取付部
１４０    キャビネット本体
１５０    引出部
１６０    固定部
１７０    装着部
【図１】
0004491112.tif 000002
【図２】
0004491112.tif 000003
【図３】
0004491112.tif 000004